(57)【要約】      （修正有）【課題】串を容器に保持するのに別途の部材を用いないようにして容器の製造コストの上昇を抑え、また、串を容器に保持する場合に、簡単にできるようにすること。更に、串を容器から取り出す場合に、すぐに取り出すことができ、しかも、一方の手で容器を持ち、他方の手だけで串を取り出すことができること。また、串の先端部分は容器内に収納して衛生的に向上させること。【解決手段】容器本体１の上部に上下に２条のスリット１１を切り込み形成する。串５の先端部を容器本体１の内側から上のスリット１１に挿通し、更に下のスリット１１に挿通して先端部を内側に押す。これにより、串５を両スリット１１にて容器本体１に保持させることができる。保持片１３の復帰力により串５が保持され、串５を任意の角度で傾斜させたり、串５を上下方向の任意の位置で保持させることができる。【選択図】図６
2013147273.tif 000002
【特許請求の範囲】
【請求項１】
材料を紙製若しくは樹脂製としたコップ状の容器本体（１）の側面に、串刺し食品を刺して食するための串（５）を前記容器本体（１）の内部に挿通させるスリット（１１）を切り込み形成し、
前記容器本体（１）のスリット（１１）に前記串（５）を外部から内部へ挿通させて該串（５）を容器本体（１）に引き抜き自在に保持可能としていることを特徴とする串刺し用食品の容器。
【請求項２】
上記スリット（１１）は、容器本体（１）の周方向に形成していることを特徴とする請求項１に記載の串刺し用食品の容器。
【請求項３】
上記スリット（１１）は、上下に２条形成していることを特徴とする請求項２に記載の串刺し用食品の容器。
【請求項４】
上記スリット（１１）の周方向の寸法は、挿通させる串（５）の数に応じて設定していることを特徴とする請求項１〜請求項３のいずれかに記載の串刺し用食品の容器。
【請求項５】
前記容器本体（１）の外面に絵図（２１）を描くと共に、該絵図（２１）を貫通している串（５）の先端部分の串図（２２）を描いていることを特徴とする請求項２〜請求項４のいずれかに記載の串刺し用食品の容器。
【請求項６】
上記スリット（１１）は、容器本体（１）の縦方向に形成していることを特徴とする請求項１に記載の串刺し用食品の容器。
【請求項７】
前記スリット（１１）の両端に、該スリット（１１）の幅より大きく該スリット（１１）と連通している穴（１２）を穿孔していることを特徴とする請求項１〜請求項６のいずれかに記載の串刺し用食品の容器。
【発明の詳細な説明】
【技術分野】
【０００１】
本発明は、鶏肉、豚肉、牛肉などの唐揚げ物、団子、田楽、ミニドーナツなどの串刺し食品をコップ状の容器に入れて、これらの串刺し食品を串にて刺して食するための串刺し用食品の容器に関するものである。
【背景技術】
【０００２】
従来より、焼き鳥、つくね、団子などの串刺し食品を容器に入れて、これらの串刺し食品を入れる容器の従来例として、例えば、下記に示す特許文献１、２が挙げられる。
【先行技術文献】
【特許文献】
【０００３】
【特許文献１】実公平３−３１７４５号公報
【特許文献２】特開２０００−３３９４８号公報
【０００４】
上記特許文献１は、コップ状の容器の底部に串の先端部を刺して串を固定するための固定部材を設け、また、容器の上部の内側に中央部に開口部を有するリング状部材を配設したものである。また、このリング状部材には上記開口部と連通する串の基部を嵌入固定するとともに、出し入れ自在とした嵌入口を設けている。
そして、串刺し食品を串に刺した状態で、前記リング状部材の開口部を介して容器内に入れ、串の先端部を前記固定部材に差し込むと共に、串の基部を前記嵌入口に保持させている。
【０００５】
また、上記特許文献２は、つくね、焼き鳥、団子等の塊状の食品を縦方向に３〜４個程度を収容することができる高さを有する筒状容器若しくは箱状容器とし、該容器内に前記塊状の食品を上から容易に収容及び取り出すことができる開口面を有する仕切り若しくは仕切り筒を係着し、複数の仕切り区分を構成している。
また、各仕切り区分内には前記塊状の食品を串に刺さないばらの状態で縦方向に３〜４個程度を収容するようにしている。また、前記塊状の食品を串刺しするための串を別途収納袋に入れ、この串を入れた収納袋を容器の本体の一部に添付しているものである。
【発明の概要】
【発明が解決しようとする課題】
【０００６】
しかしながら、上記特許文献１においては、串刺し食品を装着した状態で容器内に固定するようにしたものであり、本発明とは技術思想を異にしている。また、串を固定するのに、容器の底部に固定部材を設けると共に、串の基部を固定するためのリング状部材を設けており、そのため、容器の他に固定部材及びリング状部材の２つの部材を別途必要とするという問題がある。
【０００７】
また、前記リング状部材の形状も複雑となり、しかも、容器内に固定部材を設ける工程と、リング状部材を配設する工程とが必要となり、結果として容器の製造コストが非常に高くなるという問題を有している。
【０００８】
また、上記特許文献２では、収納袋内に串を入れておき、該収納袋を容器の外側面に係着しているために、串を使って容器内の串刺し食品を食べようとした場合、先ず、一方の手で容器を掴み、他方の手で収納袋を容器から取り外し、さらに、容器を置いて両方の手で収納袋を破いて収納袋から串を取り出して、やっと串刺し食品を食べることができる。
【０００９】
そのため、この特許文献２においては、串刺し食品を串を使って食べる場合に、串をすぐに取り出すことができず、利用者にイライラ感を与えてしまうことになる。また、収納袋から串を取り出す場合、両手で収納袋を破って串を取り出さなければならず、容器を一度どこかに置く必要があり、そのため、歩きながら串を取り出して串刺し食品を食べることが非常に困難であるという問題を有している。
更には、串を入れるための収納袋を必要とし、その分製造コストが高くなるという問題もある。
【００１０】
本発明は上述の問題点に鑑みて提供したものであって、少なくとも以下の目的を持った串刺し用食品の容器を提供するものである。
（１）串を容器に保持するのに別途の部材を用いないようにして容器の製造コストの上昇を抑えること。
（２）串を容器に保持する場合に、簡単にできるようにすること。
（３）串を容器から取り出す場合に、すぐに取り出すことができ、しかも、一方の手で容器を持ち、他方の手だけで串を取り出すことができること。
（４）串の先端部分は容器内に収納して衛生的に向上させること。
（５）意匠的効果を付与して利用者に面白みを与えること。
【課題を解決するための手段】
【００１１】
そこで、本発明の請求項１に記載の串刺し用食品の容器では、材料を紙製若しくは樹脂製としたコップ状の容器本体１の側面に、串刺し食品を刺して食するための串５を前記容器本体１の内部に挿通させるスリット１１を切り込み形成し、
前記容器本体１のスリット１１に前記串５を外部から内部へ挿通させて該串５を容器本体１に引き抜き自在に保持可能としていることを特徴としている。
【００１２】
請求項２に記載の串刺し用食品の容器では、上記スリット１１は、容器本体１の周方向に形成していることを特徴としている。
【００１３】
請求項３に記載の串刺し用食品の容器では、上記スリット１１は、上下に２条形成していることを特徴としている。
【００１４】
請求項４に記載の串刺し用食品の容器では、上記スリット１１の周方向の寸法は、挿通させる串５の数に応じて設定していることを特徴としている。
【００１５】
請求項５に記載の串刺し用食品の容器では、前記容器本体１の外面に絵図２１を描くと共に、該絵図２１を貫通している串５の先端部分の串図２２を描いていることを特徴としている。
【００１６】
請求項６に記載の串刺し用食品の容器では、上記スリット１１は、容器本体１の縦方向に形成していることを特徴としている。
【００１７】
請求項７に記載の串刺し用食品の容器では、前記スリット１１の両端に、該スリット１１の幅より大きく該スリット１１と連通している穴１２を穿孔していることを特徴としている。
【発明の効果】
【００１８】
本発明の請求項１に記載の串刺し用食品の容器によれば、材料を紙製若しくは樹脂製としたコップ状の容器本体１の側面に、串刺し食品を刺して食するための串５を前記容器本体１の内部に挿通させるスリット１１を切り込み形成し、前記容器本体１のスリット１１に前記串５を外部から内部へ挿通させて該串５を容器本体１に引き抜き自在に保持可能としているので、串５を単にスリット１１に挿通させるだけで容易に串５を容器本体１に保持させることができ、しかも、串５を容器本体１から引き抜く場合は、一方の手で容器本体１を持ち、他方の手で串５を引き抜くことができる。また、特許文献１、２とは異なり、串５を容器本体１に保持させるの別途の部材を必要とせず、しかも、単に容器本体１にスリット１１を形成しているだけなので、製造コストの上昇を抑えることができる。
【００１９】
請求項２に記載の串刺し用食品の容器によれば、スリット１１は、容器本体１の周方向に形成していることで、串５を単にスリット１１に挿通させるだけで容易に串５を容器本体１に保持させることができ、しかも、串５を容器本体１から引き抜く場合は、一方の手で容器本体１を持ち、他方の手で串５を引き抜くことができる。また、特許文献１、２とは異なり、串５を容器本体１に保持させるの別途の部材を必要とせず、しかも、単に容器本体１にスリット１１を形成しているだけなので、製造コストの上昇を抑えることができる。
【００２０】
請求項３に記載の串刺し用食品の容器によれば、スリット１１は、上下に２条形成しているものであり、串５の尖っている先端を容器本体１の内側に位置させて、串５の先端部を容器本体１の内側から上のスリット１１に差し込む。次に、串５の先端部が上側のスリット１１より外側に突出しているので、該先端部にて上下のスリット１１間を保持片１３とし、該保持片１３を外側に傾けると、保持片１３を内側に動かすことができる。そして、串５をそのまま下方に押すと開いた下側のスリット１１を挿通させることができ、さらに串５を下方に押していき、串５の先端部が容器本体１の底板２に達した位置、あるいは底板２に達する前で串５から手を離すと串５は容器本体１に保持される。このように、串５を容器本体１に簡単に保持させることができる。
また、上下のスリット１１の間の保持片１３は元に戻ろうとする復帰力が働くことで、保持片１３の外面にて串５が外方向に付勢される。そのため、串５は容器本体１の筒状部３の内面と保持片１３の外面とで保持され、串５は容器本体１の内面にほぼ接触する形で位置することになる。
また、保持片１３の外側への付勢力により串５を下方へ串５の自重による滑り落ちを防止することができる。そのため、串５は上下方向の任意の位置で容器本体１に保持でき、また、串５を図６に示すように少し傾けてもその状態を維持させることができる。更には、串５を容器本体１に保持した状態で、容器本体１を逆さにしても串５は容器本体１から落下することもない。
このように、上下に２条のスリット１１を形成していることで、特許文献１、２とは異なり、別途の部材を必要とせず、串５を容器本体１に保持させることができ、しかも、串５を任意の角度で傾斜させた状態や、上下方向の任意の位置で保持させることができる。また、串５を保持させた容器本体１を逆さにしても串５が脱落することもない。更には、串５を保持させるのに別途の部材を必要とせず、単に２条のスリット１１を形成しているだけなので、製造コストの上昇を抑えることができる。
また、串５を容器本体１に保持させた状態では、串５の先端部が容器本体１内に位置しているので、販売者の手が串５の先端部に触れるのを防止でき、衛生的に向上させることができる。
【００２１】
請求項４に記載の串刺し用食品の容器によれば、スリット１１の周方向の寸法は、挿通させる串５の数に応じて設定していることで、複数本の串５を容器本体１に容易に保持させることができる。
【００２２】
請求項５に記載の串刺し用食品の容器によれば、容器本体１の外面に絵図２１を描くと共に、該絵図２１を貫通している串５の先端部分の串図２２を描いていることで、一見すると串５がハート型の絵図２１を貫通してように見えて、利用者に面白みやインパクトを与えることができる。
【００２３】
請求項６に記載の串刺し用食品の容器によれば、スリット１１は、容器本体１の縦方向に形成していることで、串５を単にスリット１１に挿通させるだけで容易に串５を容器本体１に保持させることができ、しかも、串５を容器本体１から引き抜く場合は、一方の手で容器本体１を持ち、他方の手で串５を引き抜くことができる。また、特許文献１、２とは異なり、串５を容器本体１に保持させるの別途の部材を必要とせず、しかも、単に容器本体１にスリット１１を形成しているだけなので、製造コストの上昇を抑えることができる。
【００２４】
請求項７に記載の串刺し用食品の容器によれば、スリット１１の両端に、該スリット１１の幅より大きく該スリット１１と連通している穴１２を穿孔しているので、穴１２の部分で保持片１３を内側に動かしても力が吸収され、スリット１１の縁部から紙材が破れるのを防止することができる。
【図面の簡単な説明】
【００２５】
【図１】本発明の実施の形態における容器本体の平面図である。
【図２】本発明の実施の形態における容器本体の正面から見た斜視図である。
【図３】本発明の実施の形態における容器本体の側面から見た斜視図である。
【図４】本発明の実施の形態における容器本体の底面図である。
【図５】本発明の実施の形態に用いる串の一例を示す図である。
【図６】本発明の実施の形態における串を容器本体に保持した状態を示す図である。
【図７】本発明の実施の形態における串を容器本体に保持した状態を示す図である。
【図８】本発明の実施の形態におけるスリット部分の拡大図である。
【図９】本発明の実施の形態における横方向の寸法を長くしたスリット部分の拡大図である。
【図１０】本発明の実施の形態における２本の串を容器本体に保持した状態を示す図である。
【図１１】本発明の実施の形態における容器本体の側面に絵図を書いた場合の斜視図である。
【図１２】本発明の実施の形態における図１１に示す容器本体に串を保持させた状態を示す図である。
【図１３】本発明の実施の形態における容器本体の側面に絵図を書いた場合の斜視図である。
【図１４】本発明の実施の形態における図１３に示す容器本体に２本の串を保持させた状態を示す図である。
【図１５】本発明の実施の形態におけるスリットの横方向の位置をずらせた場合の容器本体の斜視図である。
【図１６】本発明の実施の形態におけるスリットを１条形成した場合の容器本体の斜視図である。
【図１７】本発明の実施の形態におけるスリットを周方向に形成した場合の容器本体の斜視図である。
【図１８】本発明の実施の形態における縦方向にスリットを形成した場合の容器本体の斜視図である。
【図１９】本発明の実施の形態におけるスリットを周方向に形成した場合の容器本体の斜視図である。
【図２０】本発明の実施の形態における縦方向にスリットを形成した場合の容器本体の斜視図である。
【発明を実施するための形態】
【００２６】
以下、本発明の実施の形態を図面を参照して詳細に説明する。図１〜図４は本発明の容器本体１を示し、図１は容器本体１の平面図を、図２は容器本体１の正面から見た斜視図を、図３は容器本体１の側面から見た斜視図を、図４は容器本体１の底面図をそれぞれ示している。
【００２７】
容器本体１は、紙製や樹脂製のコップであり、底面は閉塞され上部は開口されていて、一般に市販されている容器である。容器本体１の大きさは特に限定されないが、片手で持ちやすい大きさである。容器本体１の形状は、図示の略円筒状のものに限らず、四角筒状や多角筒状でも良く、容器本体１の形状としては、コップとして利用可能な形状であれば良い。
【００２８】
図１〜図４において、容器本体１は、円形の底板２と、筒状部３とで構成されており、筒状部３の上部の両側には上下方向に少しの間隔をあけてスリット１１が筒状部３の周方向に２条切り込み形成されている。また、各スリット１１の両端には、該スリット１１と連通し、スリット１１よりも大きい穴１２をそれぞれ穿孔している。この穴１２を筒状部３が破れるのを防止する破れ防止部としている。
【００２９】
図５は串５を示しており、材料としては、竹串、木串であり、串５の長さは容器本体１の縦方向の寸法より大きいものを用いるようにしている。図６は容器本体１に串５を保持した状態を示している。
【００３０】
串５を容器本体１に保持させる手法は以下の通りである。すなわち、串５の尖っている先端を容器本体１の内側に位置させて、串５の先端部を容器本体１の内側から上のスリット１１に差し込む。ここで、上下のスリット１１の間に位置する部分を保持片１３とする。
【００３１】
次に、串５の先端部が上側のスリット１１より外側に突出しているので、該先端部にて保持片１３を外側に傾けると、保持片１３を内側に動かすことができる。そして、串５をそのまま下方に押すと開いた下側のスリット１１を挿通させることができ、さらに串５を下方に押していき、串５の先端部が容器本体１の底板２に達した位置、あるいは底板２に達する前で串５から手を離すと串５は容器本体１に保持される。このように、串５を容器本体１に簡単に保持させることができる。
【００３２】
図６及び図７は串５を容器本体１に保持した状態を示し、上下のスリット１１の間の保持片１３は元に戻ろうとする復帰力が働くことで、保持片１３の外面にて串５が外方向に付勢される。そのため、串５は容器本体１の筒状部３の内面と保持片１３の外面とで保持され、図７に示すように、串５は容器本体１の内面にほぼ接触する形で位置することになる。
【００３３】
また、保持片１３の外側への付勢力により串５を下方へ串５の自重による滑り落ちを防止することができる。そのため、串５は上下方向の任意の位置で容器本体１に保持でき、また、串５を図６に示すように少し傾けてもその状態を維持させることができる。更には、串５を容器本体１に保持した状態で、容器本体１を逆さにしても串５は容器本体１から落下することもない。
【００３４】
このように本実施形態では、上下に２条のスリット１１を形成していることで、特許文献１、２とは異なり、別途の部材を必要とせず、串５を容器本体１に保持させることができ、しかも、串５を任意の角度で傾斜させた状態や、上下方向の任意の位置で保持させることができる。また、串５を保持させた容器本体１を逆さにしても串５が脱落することもない。
更には、串５を保持させるのに別途の部材を必要とせず、単に２条のスリット１１を形成しているだけなので、製造コストの上昇を抑えることができる。また、串５を容器本体１に保持させた状態では、串５の先端部が容器本体１内に位置しているので、販売者の手が串５の先端部に触れるのを防止でき、衛生的に向上させることができる。
【００３５】
図８はスリット１１等の拡大図を示し、上述したようにスリット１１の両端には該スリット１１と連通し、スリット１１の幅よりも大きい穴１２を穿孔している。容器本体１の材料が紙製の場合で、穴１２を形成せずに、スリット１１のみとした場合は、串５の先端部で保持片１３を内側に動かした際に、スリット１１の縁部から紙材が破れる恐れがある。
しかし、スリット１１の両端に穴１２を形成していることで、穴１２の部分で保持片１３を内側に動かしても力が吸収され、スリット１１の縁部から紙材が破れるのを防止することができる。
【００３６】
なお、容器本体１内に入れる串刺し食品としては、例えば、団子、から揚げ、ミニドーナツ、田楽、酒のつまみ等であり、これらの串刺し食品を容器本体１内に入れる場合、串５は図７に示すように、容器本体１の内面に沿って保持されているので、串５が邪魔になることはない。そのため、容器本体１へ串刺し食品を入れる作業の効率化を図ることができる。
【００３７】
串５を使って容器本体１内の食品を食べる場合、一方の手で容器本体１を持ち、他方の手で串５の基部を持って上方へ引き抜くだけで、串５を簡単に容器本体１から引き抜くことができる。そして、串５の先端部を容器本体１内の食品に刺して食べるものであり、串５を使うため、指を汚すことなく食品を食べることができる。
【００３８】
また、食べている途中で串５をおきたい場合、つまり、串５を再度容器本体１に保持する場合でもスリット１１を挿通させるだけで、容易に容器本体１に串５を再度保持させることができる。
なお、容器本体１の両側にもそれぞれ串５を保持させることができ、カップルがそれぞれの串５を使い分けることもできる。
【００３９】
また、串５を容器本体１に保持した状態では、口にする串５の先端部は容器本体１内に位置していることで、販売者の手が串５の先端部に触れるのを防止でき、衛生的にも向上させることができる。
なお、容器本体１を製造する場合、筒状部３が流れるラインにおいて予めスリット１１や穴１２を例えば、トムソン加工等であけておくことで、従来の製造方法で本発明の容器本体１を容易に製造することができ、容器本体１の製造コストの上昇を抑えることができる。
【００４０】
ところで、スリット１１の横方向の寸法は、１本の串５が挿通可能な寸法であればよく、特に長さは限定されるものではない。例えば、スリット１１の横方向の寸法は、１０ｍｍ〜１５ｍｍとしている。この寸法では、串５を１本、あるいは２本は保持可能である。
【００４１】
また、図９はスリット１１の横方向の寸法を図８の場合よりも長くした場合であり、串５を２本あるいは３本保持できるようにしたものである。もちろん１本の串５も保持できることは言うまでもない。図１０は、上記と同様の手法で２本の串５を容器本体１に保持した状態を示している。
このように、保持させる串５の本数によりスリット１１の長さを適宜設定することができる。
【００４２】
なお、本実施形態では、上下一対のスリット１１を容器本体１の両側にそれぞれ形成していたが、片側のみに上下一対のスリット１１を形成するようにしても良い。
【００４３】
次に、意匠的効果を狙った実施形態について説明する。本実施形態では、図１１に示すように、容器本体１の側面に絵図２１を描き、この絵図２１を貫通するように串の先端部分の串図２２を容器本体１の側面に描いている。図１１では、串図２２には着色していないが、実際に使用する串５の色を同色の色を着色しておく。
【００４４】
図１１に示す容器本体１に串５を先の実施形態と同様に該串５の先端部を容器本体１内に位置するように保持し、且つ串図２２の傾きと同じ傾きで串５を傾斜させることで、一見すると串５がハート型の絵図２１を貫通してように見えて、利用者に面白みやインパクトを与えることができる。
なお、絵図２１の例としてハートを描いているが、どのような絵柄を描いても良いものである。
【００４５】
図１３及び図１４は、スリット１１の横方向の寸法を長くして２本の串５が保持できる場合の実施形態である。
【００４６】
図１５は上下のスリット１１の位置を横方向にずらせた場合であり、かかる場合も先の実施形態と同様の効果を奏する。
【００４７】
また、図１６に示すように、スリット１１を１条のみ形成するようにしても良い。この場合は、串５を容器本体１に保持した場合、串５は斜めに保持されて、容器本体１の内面には沿わないが、串５の保持するために単に串５をスリット１１に挿通するだけで、串５を容器本体１に容易に保持することができる。また、串５を引き抜く場合でも片手で容易に串５を容器本体１から引き抜くことができる。
図１５及び図１６の場合、スリット１１は容器本体１の片側のみに形成するようにしても良い。
【００４８】
図１８は、１条のスリット１１を容器本体１の上部に周方向に複数形成した場合であり、また、図１８はスリット１１を容器本体１の両側に縦方向に形成した場合を示している。図１８の場合、スリット１１は容器本体１の片側のみに形成するようにしても良い。
【００４９】
図１９は、容器本体１の上部に周方向にスリット１１を上下に２条形成した場合であり、図２０は、スリット１１を縦方向に２つ形成した場合である。図２０の場合、スリット１１は容器本体１の片側のみに形成するようにしても良い。
【００５０】
なお、図１５〜図２０においては、図１１〜図１４に示す絵図２１や串図２２を描いていないが、絵図２１及び串図２２を描く場合も当然に含まれるものである。
【００５１】
また、上記各実施形態では、スリット１１の形成方向を周方向（横方向）と、縦方向に形成した場合について説明したが、スリット１１を斜めに傾斜させて形成するようにしても良い。
【００５２】
スリット１１を１条だけ形成している場合、串５を容器本体１に保持させた場合、図７に示すように、串５を容器本体１の内面に沿っては保持ができないが、串５をスリット１１に単に挿通させるだけで、容易に串５を容器本体１に保持させることができる。また、串５を容器本体１から引き抜く場合に簡単に串５を引き抜くことができる。
また、串５の先端部が容器本体１の内側に位置していることで、販売者の手が串５の先端部に触れるのを防止できて、衛生的にも向上する。
【００５３】
スリット１１を容器本体１に上下に２条形成しない場合で、スリット１１を周方向あるいは縦方向に１条だけ形成している場合においても、串５を単にスリット１１に挿通させるだけで容易に串５を容器本体１に保持させることができ、しかも、串５を容器本体１から引き抜く場合は、一方の手で容器本体１を持ち、他方の手で串５を引き抜くことができる。また、特許文献１、２とは異なり、串５を容器本体１に保持させるの別途の部材を必要とせず、しかも、単に容器本体１にスリット１１を形成しているだけなので、製造コストの上昇を抑えることができる。
【符号の説明】
【００５４】
１  容器本体
２  底板
３  筒状部
５  串
１１  スリット
１２  穴
２１  絵図
２２  串図
【図１】
2013147273.tif 000003
【図２】
2013147273.tif 000004
【図３】
2013147273.tif 000005
【図４】
2013147273.tif 000006
【図５】
2013147273.tif 000007
【図６】
2013147273.tif 000008
【図７】
2013147273.tif 000009
【図８】
2013147273.tif 000010
【図９】
2013147273.tif 000011
【図１０】
2013147273.tif 000012
【図１１】
2013147273.tif 000013
【図１２】
2013147273.tif 000014
【図１３】
2013147273.tif 000015
【図１４】
2013147273.tif 000016
【図１５】
2013147273.tif 000017
【図１６】
2013147273.tif 000018
【図１７】
2013147273.tif 000019
【図１８】
2013147273.tif 000020
【図１９】
2013147273.tif 000021
【図２０】
2013147273.tif 000022
【手続補正書】
【提出日】平成24年3月1日(2012.3.1)
【手続補正１】
【補正対象書類名】明細書
【補正対象項目名】００４３
【補正方法】変更
【補正の内容】
【００４３】
次に、意匠的効果を狙った実施形態について説明する。本実施形態では、図１１に示すように、容器本体１の側面に絵図２１を描き、この絵図２１を貫通するように串の先端部分の串図２２を容器本体１の側面に描いている。図１１では、串図２２には着色していないが、実際に使用する串５の色と同色の色を着色しておく。
【手続補正書】
【提出日】平成24年4月13日(2012.4.13)
【手続補正１】
【補正対象書類名】明細書
【補正対象項目名】全文
【補正方法】変更
【補正の内容】
【発明の詳細な説明】
【技術分野】
【０００１】
本発明は、鶏肉、豚肉、牛肉などの唐揚げ物、団子、田楽、ミニドーナツなどの串刺し食品をコップ状の容器に入れて、これらの串刺し食品を串にて刺して食するための串刺し用食品の容器に関するものである。
【背景技術】
【０００２】
従来より、焼き鳥、つくね、団子などの串刺し食品を容器に入れて、これらの串刺し食品を入れる容器の従来例として、例えば、下記に示す特許文献１、２が挙げられる。
【先行技術文献】
【特許文献】
【０００３】
【特許文献１】実公平３−３１７４５号公報
【特許文献２】特開２０００−３３９４８号公報
【０００４】
上記特許文献１は、コップ状の容器の底部に串の先端部を刺して串を固定するための固定部材を設け、また、容器の上部の内側に中央部に開口部を有するリング状部材を配設したものである。また、このリング状部材には上記開口部と連通する串の基部を嵌入固定するとともに、出し入れ自在とした嵌入口を設けている。
そして、串刺し食品を串に刺した状態で、前記リング状部材の開口部を介して容器内に入れ、串の先端部を前記固定部材に差し込むと共に、串の基部を前記嵌入口に保持させている。
【０００５】
また、上記特許文献２は、つくね、焼き鳥、団子等の塊状の食品を縦方向に３〜４個程度を収容することができる高さを有する筒状容器若しくは箱状容器とし、該容器内に前記塊状の食品を上から容易に収容及び取り出すことができる開口面を有する仕切り若しくは仕切り筒を係着し、複数の仕切り区分を構成している。
また、各仕切り区分内には前記塊状の食品を串に刺さないばらの状態で縦方向に３〜４個程度を収容するようにしている。また、前記塊状の食品を串刺しするための串を別途収納袋に入れ、この串を入れた収納袋を容器の本体の一部に添付しているものである。
【発明の概要】
【発明が解決しようとする課題】
【０００６】
しかしながら、上記特許文献１においては、串刺し食品を装着した状態で容器内に固定するようにしたものであり、本発明とは技術思想を異にしている。また、串を固定するのに、容器の底部に固定部材を設けると共に、串の基部を固定するためのリング状部材を設けており、そのため、容器の他に固定部材及びリング状部材の２つの部材を別途必要とするという問題がある。
【０００７】
また、前記リング状部材の形状も複雑となり、しかも、容器内に固定部材を設ける工程と、リング状部材を配設する工程とが必要となり、結果として容器の製造コストが非常に高くなるという問題を有している。
【０００８】
また、上記特許文献２では、収納袋内に串を入れておき、該収納袋を容器の外側面に係着しているために、串を使って容器内の串刺し食品を食べようとした場合、先ず、一方の手で容器を掴み、他方の手で収納袋を容器から取り外し、さらに、容器を置いて両方の手で収納袋を破いて収納袋から串を取り出して、やっと串刺し食品を食べることができる。
【０００９】
そのため、この特許文献２においては、串刺し食品を串を使って食べる場合に、串をすぐに取り出すことができず、利用者にイライラ感を与えてしまうことになる。また、収納袋から串を取り出す場合、両手で収納袋を破って串を取り出さなければならず、容器を一度どこかに置く必要があり、そのため、歩きながら串を取り出して串刺し食品を食べることが非常に困難であるという問題を有している。
更には、串を入れるための収納袋を必要とし、その分製造コストが高くなるという問題もある。
【００１０】
本発明は上述の問題点に鑑みて提供したものであって、少なくとも以下の目的を持った串刺し用食品の容器を提供するものである。
（１）串を容器に保持するのに別途の部材を用いないようにして容器の製造コストの上昇を抑えること。
（２）串を容器に保持する場合に、簡単にできるようにすること。
（３）串を容器から取り出す場合に、すぐに取り出すことができ、しかも、一方の手で容器を持ち、他方の手だけで串を取り出すことができること。
（４）串の先端部分は容器内に収納して衛生的に向上させること。
（５）意匠的効果を付与して利用者に面白みを与えること。
【課題を解決するための手段】
【００１１】
【００１２】
【００１３】
請求項１に記載の串刺し用食品の容器では、材料を紙製若しくは樹脂製としたコップ状の容器本体１の側面に、串刺し食品を刺して食するための串５を前記容器本体１の内部に挿通させるスリット１１を切り込み形成し、
前記スリット１１を、前記容器本体１の周方向に形成すると共に、上下に２条形成し、
前記容器本体１の上下のスリット１１、１１に該容器本体１の上部の内側から前記串５を内部へ挿通させて該串５を容器本体１に引き抜き自在に保持可能としていることを特徴としている。
【００１４】
請求項２に記載の串刺し用食品の容器では、上記スリット１１の周方向の寸法は、挿通させる串５の数に応じて設定していることを特徴としている。
【００１５】
請求項３に記載の串刺し用食品の容器では、前記容器本体１の外面に絵図２１を描くと共に、該絵図２１を貫通している串５の先端部分の串図２２を描いていることを特徴としている。
【００１６】
【００１７】
請求項４に記載の串刺し用食品の容器では、前記スリット１１の両端に、該スリット１１の幅より大きく該スリット１１と連通している穴１２を穿孔していることを特徴としている。
【発明の効果】
【００１８】
【００１９】
【００２０】
請求項１に記載の串刺し用食品の容器によれば、材料を紙製若しくは樹脂製としたコップ状の容器本体１の側面に、串刺し食品を刺して食するための串５を前記容器本体１の内部に挿通させるスリット１１を切り込み形成し、前記スリット１１を、前記容器本体１の周方向に形成すると共に、上下に２条形成し、前記容器本体１の上下のスリット１１、１１に該容器本体１の上部の内側から前記串５を内部へ挿通させて該串５を容器本体１に引き抜き自在に保持可能としているものであり、串５の尖っている先端を容器本体１の内側に位置させて、串５の先端部を容器本体１の内側から上のスリット１１に差し込む。次に、串５の先端部が上側のスリット１１より外側に突出しているので、該先端部にて上下のスリット１１間を保持片１３とし、該保持片１３を外側に傾けると、保持片１３を内側に動かすことができる。そして、串５をそのまま下方に押すと開いた下側のスリット１１を挿通させることができ、さらに串５を下方に押していき、串５の先端部が容器本体１の底板２に達した位置、あるいは底板２に達する前で串５から手を離すと串５は容器本体１に保持される。このように、串５を容器本体１に簡単に保持させることができる。
また、上下のスリット１１の間の保持片１３は元に戻ろうとする復帰力が働くことで、保持片１３の外面にて串５が外方向に付勢される。そのため、串５は容器本体１の筒状部３の内面と保持片１３の外面とで保持され、串５は容器本体１の内面にほぼ接触する形で位置することになる。
また、保持片１３の外側への付勢力により串５を下方へ串５の自重による滑り落ちを防止することができる。そのため、串５は上下方向の任意の位置で容器本体１に保持でき、また、串５を図６に示すように少し傾けてもその状態を維持させることができる。更には、串５を容器本体１に保持した状態で、容器本体１を逆さにしても串５は容器本体１から落下することもない。
このように、上下に２条のスリット１１を形成していることで、特許文献１、２とは異なり、別途の部材を必要とせず、串５を容器本体１に保持させることができ、しかも、串５を任意の角度で傾斜させた状態や、上下方向の任意の位置で保持させることができる。また、串５を保持させた容器本体１を逆さにしても串５が脱落することもない。更には、串５を保持させるのに別途の部材を必要とせず、単に２条のスリット１１を形成しているだけなので、製造コストの上昇を抑えることができる。
また、串５を容器本体１に保持させた状態では、串５の先端部が容器本体１内に位置しているので、販売者の手が串５の先端部に触れるのを防止でき、衛生的に向上させることができる。
【００２１】
請求項２に記載の串刺し用食品の容器によれば、スリット１１の周方向の寸法は、挿通させる串５の数に応じて設定していることで、複数本の串５を容器本体１に容易に保持させることができる。
【００２２】
請求項３に記載の串刺し用食品の容器によれば、容器本体１の外面に絵図２１を描くと共に、該絵図２１を貫通している串５の先端部分の串図２２を描いていることで、一見すると串５がハート型の絵図２１を貫通してように見えて、利用者に面白みやインパクトを与えることができる。
【００２３】
【００２４】
請求項４に記載の串刺し用食品の容器によれば、スリット１１の両端に、該スリット１１の幅より大きく該スリット１１と連通している穴１２を穿孔しているので、穴１２の部分で保持片１３を内側に動かしても力が吸収され、スリット１１の縁部から紙材が破れるのを防止することができる。
【図面の簡単な説明】
【００２５】
【図１】本発明の実施の形態における容器本体の平面図である。
【図２】本発明の実施の形態における容器本体の正面から見た斜視図である。
【図３】本発明の実施の形態における容器本体の側面から見た斜視図である。
【図４】本発明の実施の形態における容器本体の底面図である。
【図５】本発明の実施の形態に用いる串の一例を示す図である。
【図６】本発明の実施の形態における串を容器本体に保持した状態を示す図である。
【図７】本発明の実施の形態における串を容器本体に保持した状態を示す図である。
【図８】本発明の実施の形態におけるスリット部分の拡大図である。
【図９】本発明の実施の形態における横方向の寸法を長くしたスリット部分の拡大図である。
【図１０】本発明の実施の形態における２本の串を容器本体に保持した状態を示す図である。
【図１１】本発明の実施の形態における容器本体の側面に絵図を書いた場合の斜視図である。
【図１２】本発明の実施の形態における図１１に示す容器本体に串を保持させた状態を示す図である。
【図１３】本発明の実施の形態における容器本体の側面に絵図を書いた場合の斜視図である。
【図１４】本発明の実施の形態における図１３に示す容器本体に２本の串を保持させた状態を示す図である。
【図１５】本発明の実施の形態におけるスリットの横方向の位置をずらせた場合の容器本体の斜視図である。
【図１６】本発明の実施の形態におけるスリットを１条形成した場合の容器本体の斜視図である。
【図１７】本発明の実施の形態におけるスリットを周方向に形成した場合の容器本体の斜視図である。
【図１８】本発明の実施の形態における縦方向にスリットを形成した場合の容器本体の斜視図である。
【図１９】本発明の実施の形態におけるスリットを周方向に形成した場合の容器本体の斜視図である。
【図２０】本発明の実施の形態における縦方向にスリットを形成した場合の容器本体の斜視図である。
【発明を実施するための形態】
【００２６】
以下、本発明の実施の形態を図面を参照して詳細に説明する。図１〜図４は本発明の容器本体１を示し、図１は容器本体１の平面図を、図２は容器本体１の正面から見た斜視図を、図３は容器本体１の側面から見た斜視図を、図４は容器本体１の底面図をそれぞれ示している。
【００２７】
容器本体１は、紙製や樹脂製のコップであり、底面は閉塞され上部は開口されていて、一般に市販されている容器である。容器本体１の大きさは特に限定されないが、片手で持ちやすい大きさである。容器本体１の形状は、図示の略円筒状のものに限らず、四角筒状や多角筒状でも良く、容器本体１の形状としては、コップとして利用可能な形状であれば良い。
【００２８】
図１〜図４において、容器本体１は、円形の底板２と、筒状部３とで構成されており、筒状部３の上部の両側には上下方向に少しの間隔をあけてスリット１１が筒状部３の周方向に２条切り込み形成されている。また、各スリット１１の両端には、該スリット１１と連通し、スリット１１よりも大きい穴１２をそれぞれ穿孔している。この穴１２を筒状部３が破れるのを防止する破れ防止部としている。
【００２９】
図５は串５を示しており、材料としては、竹串、木串であり、串５の長さは容器本体１の縦方向の寸法より大きいものを用いるようにしている。図６は容器本体１に串５を保持した状態を示している。
【００３０】
串５を容器本体１に保持させる手法は以下の通りである。すなわち、串５の尖っている先端を容器本体１の内側に位置させて、串５の先端部を容器本体１の内側から上のスリット１１に差し込む。ここで、上下のスリット１１の間に位置する部分を保持片１３とする。
【００３１】
次に、串５の先端部が上側のスリット１１より外側に突出しているので、該先端部にて保持片１３を外側に傾けると、保持片１３を内側に動かすことができる。そして、串５をそのまま下方に押すと開いた下側のスリット１１を挿通させることができ、さらに串５を下方に押していき、串５の先端部が容器本体１の底板２に達した位置、あるいは底板２に達する前で串５から手を離すと串５は容器本体１に保持される。このように、串５を容器本体１に簡単に保持させることができる。
【００３２】
図６及び図７は串５を容器本体１に保持した状態を示し、上下のスリット１１の間の保持片１３は元に戻ろうとする復帰力が働くことで、保持片１３の外面にて串５が外方向に付勢される。そのため、串５は容器本体１の筒状部３の内面と保持片１３の外面とで保持され、図７に示すように、串５は容器本体１の内面にほぼ接触する形で位置することになる。
【００３３】
また、保持片１３の外側への付勢力により串５が下方へ串５の自重による滑り落ちを防止することができる。そのため、串５は上下方向の任意の位置で容器本体１に保持でき、また、串５を図６に示すように少し傾けてもその状態を維持させることができる。更には、串５を容器本体１に保持した状態で、容器本体１を逆さにしても串５は容器本体１から落下することもない。
【００３４】
このように本実施形態では、上下に２条のスリット１１を形成していることで、特許文献１、２とは異なり、別途の部材を必要とせず、串５を容器本体１に保持させることができ、しかも、串５を任意の角度で傾斜させた状態や、上下方向の任意の位置で保持させることができる。また、串５を保持させた容器本体１を逆さにしても串５が脱落することもない。
更には、串５を保持させるのに別途の部材を必要とせず、単に２条のスリット１１を形成しているだけなので、製造コストの上昇を抑えることができる。また、串５を容器本体１に保持させた状態では、串５の先端部が容器本体１内に位置しているので、販売者の手が串５の先端部に触れるのを防止でき、衛生的に向上させることができる。
【００３５】
図８はスリット１１等の拡大図を示し、上述したようにスリット１１の両端には該スリット１１と連通し、スリット１１の幅よりも大きい穴１２を穿孔している。容器本体１の材料が紙製の場合で、穴１２を形成せずに、スリット１１のみとした場合は、串５の先端部で保持片１３を内側に動かした際に、スリット１１の縁部から紙材が破れる恐れがある。
しかし、スリット１１の両端に穴１２を形成していることで、穴１２の部分で保持片１３を内側に動かしても力が吸収され、スリット１１の縁部から紙材が破れるのを防止することができる。
【００３６】
なお、容器本体１内に入れる串刺し食品としては、例えば、団子、から揚げ、ミニドーナツ、田楽、酒のつまみ等であり、これらの串刺し食品を容器本体１内に入れる場合、串５は図７に示すように、容器本体１の内面に沿って保持されているので、串５が邪魔になることはない。そのため、容器本体１へ串刺し食品を入れる作業の効率化を図ることができる。
【００３７】
串５を使って容器本体１内の食品を食べる場合、一方の手で容器本体１を持ち、他方の手で串５の基部を持って上方へ引き抜くだけで、串５を簡単に容器本体１から引き抜くことができる。そして、串５の先端部を容器本体１内の食品に刺して食べるものであり、串５を使うため、指を汚すことなく食品を食べることができる。
【００３８】
また、食べている途中で串５をおきたい場合、つまり、串５を再度容器本体１に保持する場合でもスリット１１を挿通させるだけで、容易に容器本体１に串５を再度保持させることができる。
なお、容器本体１の両側にもそれぞれ串５を保持させることができ、カップルがそれぞれの串５を使い分けることもできる。
【００３９】
また、串５を容器本体１に保持した状態では、口にする串５の先端部は容器本体１内に位置していることで、販売者の手が串５の先端部に触れるのを防止でき、衛生的にも向上させることができる。
なお、容器本体１を製造する場合、筒状部３が流れるラインにおいて予めスリット１１や穴１２を例えば、トムソン加工等であけておくことで、従来の製造方法で本発明の容器本体１を容易に製造することができ、容器本体１の製造コストの上昇を抑えることができる。
【００４０】
ところで、スリット１１の横方向の寸法は、１本の串５が挿通可能な寸法であればよく、特に長さは限定されるものではない。例えば、スリット１１の横方向の寸法は、１０ｍｍ〜１５ｍｍとしている。この寸法では、串５を１本、あるいは２本は保持可能である。
【００４１】
また、図９はスリット１１の横方向の寸法を図８の場合よりも長くした場合であり、串５を２本あるいは３本保持できるようにしたものである。もちろん１本の串５も保持できることは言うまでもない。図１０は、上記と同様の手法で２本の串５を容器本体１に保持した状態を示している。
このように、保持させる串５の本数によりスリット１１の長さを適宜設定することができる。
【００４２】
なお、本実施形態では、上下一対のスリット１１を容器本体１の両側にそれぞれ形成していたが、片側のみに上下一対のスリット１１を形成するようにしても良い。
【００４３】
次に、意匠的効果を狙った実施形態について説明する。本実施形態では、図１１に示すように、容器本体１の側面に絵図２１を描き、この絵図２１を貫通するように串の先端部分の串図２２を容器本体１の側面に描いている。図１１では、串図２２には着色していないが、実際に使用する串５の色と同色の色を着色しておく。
【００４４】
図１１に示す容器本体１に串５を先の実施形態と同様に該串５の先端部を容器本体１内に位置するように保持し、且つ串図２２の傾きと同じ傾きで串５を傾斜させることで、一見すると串５がハート型の絵図２１を貫通してように見えて、利用者に面白みやインパクトを与えることができる。
なお、絵図２１の例としてハートを描いているが、どのような絵柄を描いても良いものである。
【００４５】
図１３及び図１４は、スリット１１の横方向の寸法を長くして２本の串５が保持できる場合の実施形態である。
【００４６】
図１５は上下のスリット１１の位置を横方向にずらせた場合であり、かかる場合も先の実施形態と同様の効果を奏する。
【００４７】
また、図１６に示すように、スリット１１を１条のみ形成するようにしても良い。この場合は、串５を容器本体１に保持した場合、串５は斜めに保持されて、容器本体１の内面には沿わないが、串５の保持するために単に串５をスリット１１に挿通するだけで、串５を容器本体１に容易に保持することができる。また、串５を引き抜く場合でも片手で容易に串５を容器本体１から引き抜くことができる。
図１５及び図１６の場合、スリット１１は容器本体１の片側のみに形成するようにしても良い。
【００４８】
図１８は、１条のスリット１１を容器本体１の上部に周方向に複数形成した場合であり、また、図１８はスリット１１を容器本体１の両側に縦方向に形成した場合を示している。図１８の場合、スリット１１は容器本体１の片側のみに形成するようにしても良い。
【００４９】
図１９は、容器本体１の上部に周方向にスリット１１を上下に２条形成した場合であり、図２０は、スリット１１を縦方向に２つ形成した場合である。図２０の場合、スリット１１は容器本体１の片側のみに形成するようにしても良い。
【００５０】
なお、図１５〜図２０においては、図１１〜図１４に示す絵図２１や串図２２を描いていないが、絵図２１及び串図２２を描く場合も当然に含まれるものである。
【００５１】
また、上記各実施形態では、スリット１１の形成方向を周方向（横方向）と、縦方向に形成した場合について説明したが、スリット１１を斜めに傾斜させて形成するようにしても良い。
【００５２】
スリット１１を１条だけ形成している場合、串５を容器本体１に保持させた場合、図７に示すように、串５を容器本体１の内面に沿っては保持ができないが、串５をスリット１１に単に挿通させるだけで、容易に串５を容器本体１に保持させることができる。また、串５を容器本体１から引き抜く場合に簡単に串５を引き抜くことができる。
また、串５の先端部が容器本体１の内側に位置していることで、販売者の手が串５の先端部に触れるのを防止できて、衛生的にも向上する。
【００５３】
スリット１１を容器本体１に上下に２条形成しない場合で、スリット１１を周方向あるいは縦方向に１条だけ形成している場合においても、串５を単にスリット１１に挿通させるだけで容易に串５を容器本体１に保持させることができ、しかも、串５を容器本体１から引き抜く場合は、一方の手で容器本体１を持ち、他方の手で串５を引き抜くことができる。また、特許文献１、２とは異なり、串５を容器本体１に保持させるの別途の部材を必要とせず、しかも、単に容器本体１にスリット１１を形成しているだけなので、製造コストの上昇を抑えることができる。
なお、図１６〜図１８、図２０は、本発明の参考例である。
【符号の説明】
【００５４】
１  容器本体
２  底板
３  筒状部
５  串
１１  スリット
１２  穴
２１  絵図
２２  串図
【手続補正２】
【補正対象書類名】特許請求の範囲
【補正対象項目名】全文
【補正方法】変更
【補正の内容】
【特許請求の範囲】
【請求項１】
材料を紙製若しくは樹脂製としたコップ状の容器本体（１）の側面に、串刺し食品を刺して食するための串（５）を前記容器本体（１）の内部に挿通させるスリット（１１）を切り込み形成し、
前記スリット（１１）を、前記容器本体（１）の周方向に形成すると共に、上下に２条形成し、
前記容器本体（１）の上下のスリット（１１）（１１）に該容器本体（１）の上部の内側から前記串（５）を内部へ挿通させて該串（５）を容器本体（１）に引き抜き自在に保持可能としていることを特徴とする串刺し用食品の容器。
【請求項２】
上記スリット（１１）の周方向の寸法は、挿通させる串（５）の数に応じて設定していることを特徴とする請求項１に記載の串刺し用食品の容器。
【請求項３】
前記容器本体（１）の外面に絵図（２１）を描くと共に、該絵図（２１）を貫通している串（５）の先端部分の串図（２２）を描いていることを特徴とする請求項１または請求項２に記載の串刺し用食品の容器。
【請求項４】
前記スリット（１１）の両端に、該スリット（１１）の幅より大きく該スリット（１１）と連通している穴（１２）を穿孔していることを特徴とする請求項１に記載の串刺し用食品の容器。